(57)【要約】身体の患部に針を連続的に刺針する連続式刺針器である。この連続式刺針器は、１本以上の針が投入されて貯蔵されるカートリッジと、前記カートリッジの一側に位置し、貯蔵された針を磁力により引き寄せて打撃位置に自動的に配置させるる第１磁石と、前記カートリッジの上側に位置し、打撃位置の針を患部に刺針するように打撃する打撃手段と、前記カートリッジの下側に位置し、打撃された針が排出されるホールが形成された排出部とを含む。１本以上の針をカートリッジに無秩序に貯蔵し、ボタンを押せば、貯蔵された針が順次１本ずつ刺針される。
2008519645.tif 000002
【特許請求の範囲】
【請求項１】
身体の患部に針を連続的に刺針する連続式刺針器において、
１本以上の針が投入されて貯蔵されるカートリッジと、
前記カートリッジの一側に位置し、貯蔵された針を磁力により引き寄せて打撃位置に自動的に配置させるる第１磁石と、
前記カートリッジの上側に位置し、打撃位置の針を患部に刺針するように打撃する打撃手段と、
前記カートリッジの下側に位置し、打撃された針が排出されるホールが形成された排出部と、を含んでなることを特徴とする、連続式刺針器。
【請求項２】
前記カートリッジの上側に位置し、貯蔵された針の尖端が底に触れないように浮上させる第２磁石をさらに含むことを特徴とする、請求項１に記載の連続式刺針器。
【請求項３】
前記カートリッジには、針貯蔵空間の一側に針を１本ずつ導入するスロットが形成され、このスロットの端部には、打撃された針が円滑に排出されるようにする排出孔が形成されたことを特徴とする、請求項１に記載の連続式刺針器。
【請求項４】
前記排出部に出没可能に結合され、突出長によって患部に刺し込まれる針の深さを調節するガイドをさらに含むことを特徴とする、請求項１に記載の連続式刺針器。
【請求項５】
一側端子は前記排出部に形成され、他側端子は患者の身体一部に接触するように構成された刺針点検出装置をさらに含むことを特徴とする、請求項１または４に記載の連続式刺針器。
【請求項６】
前記打撃手段は、
カートリッジの上側に、復元スプリングによって上方に弾支されるように取り付けられたボタンと、
前記ボタンの内部に、打撃スプリングによって下方に弾支されるように取り付けられた撃針と、
前記撃針の一側に形成され、傾斜面を有する撃針鼻部と、
前記撃針鼻部の下側にボタンを押すとき、前記撃針鼻部が掛かって一定位置まで打撃スプリングを圧縮させるように形成された圧縮突部と、
前記撃針鼻部と接触するように形成され、前記打撃スプリングが一定長さ以上に圧縮されたとき、前記撃針鼻部の傾斜面を押して前記撃針鼻部を圧縮突部から離脱させる解除突部と、を含むことを特徴とする、請求項１に記載の連続式刺針器。
【請求項７】
前記打撃手段は、
施術者によって操作されるスイッチと、
前記スイッチの作動によって電源を受けて駆動されるアクチュエータと、
前記アクチュエータによって昇降しながら針を患部に打撃する撃針とを含むことを特徴とする、請求項１に記載の連続式刺針器。
【発明の詳細な説明】
【技術分野】
【０００１】
本発明は片手で把持して施術するのに便利なペンタイプの連続式刺針器に係り、より詳しくは１本以上の針を封筒から直接針貯蔵カートリッジに無作為に投入し、無秩序に針を貯蔵した状態で、片手でボタンを押して連続的に刺針を行うことにより、刺針時間を節減するのはもちろん、使用者が便利でかつ衛生的に施術できるようにし、患者には針が見えないので、施術前の恐れから脱することができ、刺針の際、瞬間的な打撃方式により痛症を軽減させることができる連続式刺針器に関するものである。
【背景技術】
【０００２】
従来、刺針器と関連する技術は、大韓民国特許登録第１０−０４９７１１５号に開示された漢方用連続刺針器の外に、多数が出願および登録されている。
前記漢方用刺針器は、図１に示すように、多数の針が一列に並んで貯蔵され、貯蔵された多数の針を針突出部５５の方向に押し出す針移動手段５１と、針貯蔵部６０に貯蔵された多数の針７０のなかで一つを針突出部５５の方向に押し出して施術部位に刺針する施術操作部８０とを含むことを特徴とする。
しかし、このような従来の漢方用連続刺針器は、多数の針７０を一列に貯蔵するから、そのサイズが大きくて使用者が片手で把持して使用するのに非常に不便であるという問題点があった。
また、前記従来の漢方用連続刺針器は、針の貯蔵の際、個々の針７０を１本ずつ一列に配列して貯蔵しなければならないため、多くの努力と時間が必要となる問題点もあった。
そして、前記従来の漢方用連続刺針器は、既存の針管を使用するときのように、針７０を徐々に患部に突き刺して施術するので、突き刺し速度が遅くて、刺針の際、痛症を誘発する問題点もあった。
【特許文献１】大韓民国特許登録第１０−０４９７１１５号公報
【発明の開示】
【発明が解決しようとする課題】
【０００３】
したがって、本発明は前記のような従来の問題点に鑑みてなされたもので、その目的は、片手で把持して施術するのに便利なペンタイプで、封筒に入れられた針を無作為にカートリッジに投入し、無秩序に貯蔵された針を使用者が片手の操作だけでボタンを押して刺針することになるので、使用が非常に便利で、刺針時間を節減することができる連続式刺針器を提供することにある。
本発明の他の目的は、患者には針が見えなくて、施術前の恐れから脱することができ、瞬間的な打撃で痛症なしに刺針するための連続式刺針器を提供することにある。
本発明のさらに他の目的は、連結された刺針点検出装置によって正確な刺針点の位置に施術することができる連続式刺針器を提供することにある。
【課題を解決するための手段】
【０００４】
前記目的を達成するため、本発明の一観点によれば、身体の患部に針を連続的に刺針する連続式刺針器において、１本以上の針が投入されて貯蔵されるカートリッジと、前記カートリッジの一側に位置し、貯蔵された針を磁力により引き寄せて打撃位置に自動的に配置させる第１磁石と、前記カートリッジの上側に位置し、打撃位置の針を患部に刺針するように打撃する打撃手段と、前記カートリッジの下側に位置し、打撃された針が排出されるホールが形成された排出部と、を含んでなることを特徴とする、連続式刺針器を提供する。
本発明によれば、前記カートリッジの上側に位置し、貯蔵された針の尖端が底に触れないように浮上させる第２磁石をさらに含むことが望ましい。
本発明によれば、前記カートリッジには、針貯蔵空間の一側に針を１本ずつ導入するスロットが形成され、このスロットの端部には、打撃された針が円滑に排出されるようにする排出孔が形成されたことが望ましい。
本発明によれば、前記排出部に出没可能に結合され、突出長によって患部に刺し込まれる針の深さを調節するガイドをさらに含むことが望ましい。
本発明によれば、一側端子は前記排出部に形成され、他側端子は患者の身体一部に接触するように構成された刺針点検出装置をさらに含むことが望ましい。
本発明によれば、前記打撃手段は、カートリッジの上側に、復元スプリングによって上方に弾支されるように取り付けられたボタンと、前記ボタンの内部に、打撃スプリングによって下方に弾支されるように取り付けられた撃針と、前記撃針の一側に形成され、傾斜面を有する撃針鼻部と、前記撃針鼻部の下側にボタンを押すとき、前記撃針鼻部が掛かって一定位置まで打撃スプリングを圧縮させるように形成された圧縮突部と、前記撃針鼻部と接触するように形成され、前記打撃スプリングが一定長さ以上に圧縮されたとき、前記撃針鼻部の傾斜面を押して前記撃針鼻部を圧縮突部から離脱させる解除突部とを含むことが望ましい。
本発明によれば、前記打撃手段は、施術者によって操作されるスイッチと、前記スイッチの作動によって電源を受けて駆動されるアクチュエータと、前記アクチュエータによって昇降しながら針を患部に打撃する撃針とを含むことが望ましい。
【発明の効果】
【０００５】
本発明は、無秩序に針を貯蔵した状態で、片手でボタンを押して連続的に刺針を行うことにより、刺針時間を節減するのはもちろん、使用者が便利でかつ衛生的に施術できるようにし、患者には針が見えないので、施術前の恐れから脱することができ、刺針の際、瞬間的な打撃方式により痛症を軽減させることができる。
【発明を実施するための最良の形態】
【０００６】
以下、添付図面に基づいて、本発明の好ましい実施例を説明する。
【実施例】
【０００７】
本発明の一実施例による連続式刺針器について、図２〜図７を参照して説明すれば次のようである。
この連続式刺針器は、使用者の便宜性と衛生を考慮して、針を滅菌封筒から直接無秩序な状態にカートリッジ１０に投入しても、順次打撃位置に自動でローディングされるようにすることが技術の核心であり、その形態がペンタイプである場合に最も効果的である。
このための構成としては、無秩序な状態に貯蔵された針を１本ずつ打撃位置に自動でローディングさせるための第１磁石１と第２磁石２がカートリッジ１０の一側と上側にそれぞれ配置され、このカートリッジ１０の上部と下部には、ローディングされた一つの針を打撃する打撃手段と、打撃された針を円滑に排出する排出部３０をそれぞれ備える。
【０００８】
前記カートリッジ１０は、図２〜図７に示すように、針貯蔵空間１１の一側に、第１磁石１の磁力により針が１本ずつ引き寄せられるスロット１４が形成され、このスロット１４の端部には、打撃された針を円滑に排出するための排出孔１７が形成される。
したがって、前記カートリッジ１０は、滅菌された針を、針頭さえ摘まないで封筒から針貯蔵空間１１に直接無作為に投入するように構成される。
この際、前記スロット１４のサイズは針のサイズより少し大きく形成され、その中央部には、１本ずつ引かれてくる針の針頭の下端が掛かる係止段１５が形成されることにより、打撃される針が排出孔１７を通じて排出されるとき、隣接した針が摩擦力によってともに引かれて排出されないようにする。
また、打撃された針が排出される排出孔１７は、係止段１５の下側の下側排出孔１３を係止段１５の上側の上側排出孔１２より大きく形成することで、隣接した針との干渉を避けることが望ましく、下側排出孔１３は、針の排出時、隣接した針との干渉を避けえる最小の大きさに形成するために、漏斗状に形成することが望ましい。
【０００９】
前記第１磁石１は、製品組立ての際、カートリッジ１０のスロット１４の外側に位置するように、打撃手段のハウジング２１に取り付けられるもので、貯蔵された針が磁力により引き寄せられてカートリッジ１０の打撃位置に自動でローディングされるようにするものである。
前記第２磁石２は、製品の組立ての際、カートリッジ１０の上側に位置するように、打撃手段のハウジング２１に取り付けられるもので、磁力によって針が上方に浮上して、針の尖端部が底に接触して損傷することを防止する役目をする。
【００１０】
前記打撃手段はカートリッジ１０の上側に位置するもので、打撃位置の針を患部に打撃して施術するものである。この際、図１０および図１１に示すようなスプリング方式の打撃手段は、カートリッジ１０の上側に組み立てられるハウジング２１と、このハウジング２１の内部に、復元スプリング２２によって上側に弾支されるように取り付けられたボタン２３と、このボタン２３の内部に、打撃スプリング２５によって下側に弾支された撃針２６とから構成される。この撃針２６には、打撃位置の針に向かって作動幹２７が長く伸びる。この際、前記撃針２６は、その下端部一側に、上側に傾斜面が形成された撃針鼻部２８が備えられ、これに対応するハウジング２１の内部には、ボタン２３を押すとき、撃針鼻部２８が掛かって一定位置まで打撃スプリング２５を圧縮させる圧縮突部２１ａが形成され、前記撃針鼻部２８上側のボタン２３の内側には、打撃スプリング２５が一定長さ以上に圧縮されたとき、撃針鼻部２８の傾斜面を押し付けて、撃針鼻部２８を圧縮突部２１ａから離脱させる解除突部２９が備えられる。
【００１１】
また、図１２に示すようなアクチュエータ方式の打撃手段は、撃針５６が駆動部５０の動作により下降しながら針を打撃するもので、前記駆動部５０としては、スイッチ５２の操作によってバッテリー５３から電源を受けて動作するように構成されたソレノイドまたはモーターなどの多様な駆動手段が利用可能である。
【００１２】
前記排出部３０はカートリッジ１０の下側に位置するように組み立てられ、その内部には、打撃された針を排出させるホール３１が垂直に貫設され、このホール３１には、打撃された針が患部に刺し込まれる深さを調節するガイド３５が組み立てられる。この際、ガイド３５は排出部３０のホール３１に螺合されて、下側に突出する長さを調節することにより、針の刺し込み深さを調節するように構成される。
【００１３】
前記刺針点検出装置４０は人体のインピーダンスを測定して患部の刺針点を感知するためのもので、一側端子４３は患者の身体一部に接触され、他側端子４５は導電性材質のガイド３５に形成され、このガイド３５を患部に沿って移しながら刺針点位置を易しく捜し出すようにするものである。
【００１４】
以上の構成による好ましい実施例の作動メカニズムについて説明すれば次のようである。
前記連続式刺針器は、カートリッジ１０に滅菌された針を無作為に投入し、その投入口１８に排出部３０を結合し、投入口１８を閉めた後、前記カートリッジ１０の上側に打撃手段を結合すれば、組立てが完了する。
この状態で、前記排出部３０を患部に当て、図１１のボタン２３を押して一定長さ以上に下降させれば、ボタン２３の内部の撃針鼻部２８が圧縮突部２１ａに掛かって、撃針２６を弾支する打撃スプリング２５を圧縮させ、このボタン２３を一定長さだけさらに下降させれば、撃針鼻部２８の傾斜面が解除突部２９によって押されて圧縮突部２１ａから解除され、打撃スプリング２５の弾性力により撃針２６を発射させて、打撃位置の１本の針を瞬間的に打撃することになる。このように、高速で瞬間的に打撃することにより、施術による痛症を減らすことができる。これは、既存の針管を利用して打撃する方式に比べ、打撃速度が速いから、刺針の際、優れた痛症減少の効果を提供する。
また、撃針２６により打撃された針は、針頭の摩擦力により、隣接した針をともに引いて排出部３０側に下がろうとするが、隣接した針は、スロット１４の内側に形成された係止段１５に針頭が掛かるため、ともに引き下げられない。
【００１５】
打撃の後、連続式刺針器を患部から持ち上げれば、針は刺針器から排出されて患部に突き刺されたままで残ることになる。この際、前記カートリッジ１０に形成された排出孔１７は、下側排出孔１３が上側排出孔１２より大きく形成されて、隣接した針線との干渉を避ける構造になっているので、刺針器を持ち上げるとき、刺針された針が抜かれず、刺針された状態をそのままに維持することになる。
ついで、押されたボタン２３を放すと、撃針２６は復元スプリング２２により元の状態に戻り、待機している他の１本の針が、第１磁石１の磁力により、打撃位置に自動で引き寄せられてローディングされるものである。
前述した過程を繰り返すことにより、１本以上の針を連続的に刺針することができることになる。
【産業上の利用可能性】
【００１６】
前記のような本発明によれば、１本以上の針をカートリッジの内部に便利で衛生的でかつ迅速に装填することができ、色々の針を使用者が短時間に順次連続的に刺針することができる効果がある。
そして、被施術者には、施術前に針が見えないので、漠然たる恐れから脱することができ、瞬間的な打撃により、痛症なしに施術することができる効果がある。
以上、本発明の好ましい実施例を例示的に説明したが、当業者であれば、特許請求範囲い開示された本発明の精神および範囲から逸脱せず、多様な変形、付加および代替が可能であろう。
【図面の簡単な説明】
【００１７】
【図１】従来の漢方用連続式刺針器の断面図である。
【図２】本発明による連続式刺針器のる縦断面図である。
【図３】は本発明の構成要素であるカートリッジの針投入口および下側排出孔を説明する概略図である。
【図４】図３の線ａ−ａ’に沿って取った断面図である。
【図５】図３の線ｂ−ｂ’に沿って取った断面図である。
【図６】本発明の構成要素であるカートリッジのスロットと係止段を示す概略図である。
【図７】図６の線ｃ−ｃ’に沿って取った断面図である。
【図８】カートリッジに貯蔵された針の無秩序な状態を示す概略図である。
【図９】カートリッジの係止段を示す概略図である。
【図１０】スプリングを利用した瞬間打撃メカニズムを示す概略図である。
【図１１】図１０の線ｄ−ｄ’に沿って取った断面図である。
【図１２】アクチュエータ方式の一実施例を示す概略図である。
【符号の説明】
【００１８】
１  第１磁石
２  第２磁石
１０  カートリッジ
１１  針貯蔵空間
１４  スロット
１７  排出孔
２１  ハウジング
２２  復元スプリング
２３  ボタン
２５  打撃スプリング
２６  撃針
３０  排出部
３５  ガイド
４０  刺針点検出装置
【図１】
2008519645.tif 000003
【図２】
2008519645.tif 000004
【図３】
2008519645.tif 000005
【図４】
2008519645.tif 000006
【図５】
2008519645.tif 000007
【図６】
2008519645.tif 000008
【図７】
2008519645.tif 000009
【図８】
2008519645.tif 000010
【図９】
2008519645.tif 000011
【図１０】
2008519645.tif 000012
【図１１】
2008519645.tif 000013
【図１２】
2008519645.tif 000014
【国際調査報告】
2008519645.tif 000015
2008519645.tif 000016